(57)【要約】【課題】コンクリート打設用の型枠に単管パイプを取り付ける際に、締付具を締めすぎる虞がなく、取り付ける単管パイプが１本であっても、型枠に安定に取り付けでき、単管パイプを長さ方向一直線状に型枠に容易に取り付けできる単管パイプの取り付け方法と締付具を提供すること。【解決手段】型枠（Ｋ１）に固定したピーコン（１３）のボルト（１４）と、ボルト軸（３）の一端部（５）に設けられた雌螺子部（９）とを螺合させ、ボルト軸（３）を型枠（Ｋ１）に固定する工程、弾性部材（６）と、管（４）と、保持部材（２）とをボルト軸（３）に被挿する工程、単管パイプを型枠と保持部材（２）との間のボルト軸（３）の上側及び／又は下側に配置する工程、締付ナット（１１）をボルト軸（３）の他端部（１０）に螺合させ、締付ナット（１１）を締め付ける工程からなる単管パイプの取り付け方法及び締付具。【選択図】図６Ａ
2017206936.tif 000002
【特許請求の範囲】
【請求項１】
コンクリート打設用の型枠に単管パイプを取り付ける単管パイプ取り付け方法であって、該方法は、
型枠に固定されたピーコンのボルトと、締付具のボルト軸の一端部に設けられた雌螺子部とを螺合させ、前記ボルト軸を型枠に固定する工程、
弾性部材と、管と、保持部材とを前記ボルト軸に被挿させる工程、
１本又は２本の単管パイプを、型枠と前記保持部材との間の前記ボルト軸の上側及び／又は下側に配置する工程、及び
締付ナットを前記ボルト軸の他端部に螺合させ、該締付ナットを締め付けて単管パイプを型枠に取り付ける工程からなり、
前記保持部材は、前記ボルト軸を挿通させる貫通孔と、該貫通孔の両側又は片側に前記単管パイプと当接する当接部を有し、
前記当接部は、直線部を備え、両側又は片側の端部が前記単管パイプ側に折り曲げられて突出しており、
前記直線部の長手方向の長さが、保持される前記単管パイプが前記当接部に当接した時の当接長さよりも長い
ことを特徴とする単管パイプの取り付け方法。
【請求項２】
前記弾性部材と、管と、保持部材とを前記ボルト軸に被挿する工程が、管と、弾性部材と、保持部材とを型枠側から順に前記ボルト軸に被挿する工程であることを特徴とする、請求項１に記載の単管パイプの取り付け方法。
【請求項３】
前記弾性部材と、管と、保持部材とを前記ボルト軸に被挿する工程が、弾性部材と、管と、保持部材とを型枠側から順に前記ボルト軸に被挿する工程であることを特徴とする、請求項１に記載の単管パイプの取り付け方法。
【請求項４】
コンクリート打設用の型枠に単管パイプを取り付けるための締付具であって、
前記締付具は、前記単管パイプに当接し該単管パイプをコンクリート型枠に保持する保持部材と、
前記保持部材を保持するボルト軸と、
前記ボルト軸を被挿する弾性部材と、
前記ボルト軸を被挿する管とを有し、
前記保持部材は、前記ボルト軸を挿通させる貫通孔と、該貫通孔の両側又は片側に前記単管パイプと当接する当接部を有し、
前記当接部は、直線部を備え、両側又は片側の端部が前記単管パイプ側に折り曲げられて突出しており、
前記直線部の長手方向の長さが、保持される前記単管パイプが前記当接部に当接した時の当接長さよりも長い
ことを特徴とする締付具。
【請求項５】
前記保持部材は、前記貫通孔を支点とした時に、第１端部側部材が第２端部側部材よりも重いことを特徴とする、請求項４に記載の締付具。
【請求項６】
前記保持部材は、前記ボルト軸に保持された際に、前記第１端部側部材の先端が、前記第２端部側部材の先端よりも型枠側に突出していることを特徴とする、請求項５に記載の締付具。
【請求項７】
前記弾性部材が、コイルバネ、スプリングワッシャ、又はワッシャ、あるいはそれらの組み合わせであることを特徴とする、請求項４乃至６のいずれか１つに記載の締付具。
【請求項８】
前記弾性部材が、前記型枠側から、平ワッシャ、スプリングワッシャ、平ワッシャであることを特徴とする、請求項４乃至６のいずれか１つに記載の締付具。
【請求項９】
前記保持部材が略Ｃ型チャンネル状であることを特徴とする、請求項４乃至８のいずれか１つに記載の締付具。
【請求項１０】
前記保持部材がドーム状であることを特徴とする、請求項４乃至８のいずれか１つに記載の締付具。
【請求項１１】
前記保持部材が平板状であることを特徴とする、請求項４乃至８のいずれか１つに記載の締付具。
【請求項１２】
前記保持部材の長手方向の片端に前記型枠に当接する支持脚が設けられていることを特徴とする、請求項４乃至１１のいずれか１つに記載の締付具。
【発明の詳細な説明】
【技術分野】
【０００１】
本発明は単管パイプの取り付け方法及び該方法に用いる締付具に係り、より詳しくは、コンクリート打設用の型枠等に単管パイプを取り付ける際に、締付具を締めすぎる虞がなく、また、各種類の単管パイプの取り付けに使用でき、取り付ける単管パイプが２本でも１本でも型枠に安定に取り付けることができ、単管パイプを長さ方向一直線状に型枠に容易に取り付けることができる単管パイプの取り付け方法と、該方法に用いる締付具に関する。
【背景技術】
【０００２】
建設現場において、コンクリート壁や柱の型枠を作成する際、コンクリートを流し込む型枠をベニヤ板で作成する。そして、コンクリート注入時に型枠に加わる外方向への押圧力によるベニヤ板の膨らみを防止する目的で、図１の（ａ）及び（ｂ）に示すように、型枠（Ｋ１）の外周の角材（Ｋ２）を介して単管パイプ（Ｐ１）（Ｐ２）で補強する。
この単管パイプには、丸型パイプや、角型パイプや、上辺と下辺が平行な直線形状で側辺が円弧形状であるパイプ（以下、本明細書中において丸角型パイプと称す。）等が用いられている。
【０００３】
単管パイプによる補強では、図１の（ａ）及び（ｂ）に示すように、２本の丸型の単管パイプ（Ｐ１）、又は２本の角型の単管パイプ（Ｐ２）を締付具（１０１）で固定し、締付具（１０１）を角材（Ｋ２）側に引っ張ることによって角材（Ｋ２）を付勢する（例えば、特許文献１参照）。しかしながら、締付具（１０１）を型枠（Ｋ１）に固定する際に、締付具（１０１）を締めすぎることによって、ピーコン（１３）が締付具（１０１）の方向に必要以上に強く引っ張られ、型枠（Ｋ１）に大きな力がかかり、ピーコン（１３）周辺の型枠（Ｋ１）が締付具（１０１）側に突出し湾曲する虞があった。このように、型枠（Ｋ１）が湾曲することにより、形成されるコンクリート壁や柱に部分的な膨らみが生じてしまうことがあった。
【０００４】
また、締付具（１０１）のボルト軸（１０３）をピーコン（１３）に螺合させる際に、ボルト軸（１０３）を強く締め付けすぎることによって、締付具（１０１）とピーコン（１３）の間にある型枠（Ｋ１）が圧縮されてしまう虞もあった。これにより、形成されるコンクリート壁や柱に部分的な膨らみが生じてしまうことがあった。
【０００５】
図１に示すような丸型パイプ用の締付具（１０１）の場合、コンクリート型枠に取り付ける単管パイプに角型パイプ（Ｐ２）を用いると、締付具（１０１）と角型パイプ（Ｐ２）が点で接するため、締付具（１０１）と角型パイプ（Ｐ２）の両方が曲がってしまう虞がある。そのため、コンクリート型枠に取り付ける単管パイプの種類により、締付具の種類を変更する必要があり、煩雑である。
【０００６】
さらに、図２に示すように、１本の単管パイプを締付具（１０２）で固定しようとすると、単管パイプが配置されている側と配置されていない側にかかる圧力に偏りが生じ、この圧力の偏りによって締付具（１０２）が傾いてしまい、型枠（Ｋ１）に締付具（１０２）を充分締め付けることができない。尚、図２では、締付具（１０２）の単管パイプとの当接部は直線状にしている。
【０００７】
加えて、図１の（ａ）及び（ｂ）に示すような従来の単管パイプの取り付け方法では、締付具と単管パイプの当接部に、単管パイプが締付具の長手方向（Ｘ）に動ける余地が無い。長い単管パイプを型枠に取り付けるには、単管パイプの長さ方向の数箇所で締付具によって型枠に取り付けなければならない。しかしながら、単管パイプが締付具の長手方向（Ｘ）に動ける余地が無いために、直線状の長い単管パイプを型枠に取り付けるには複数の締付具を型枠に一直線状に設置しなければならず、困難である。
【先行技術文献】
【特許文献】
【０００８】
【特許文献１】特開平６−３４４３２１号公報
【発明の概要】
【発明が解決しようとする課題】
【０００９】
本発明は、上記したような従来技術の問題点を解決すべくなされたものであって、コンクリート打設用の型枠等に単管パイプを取り付ける際に、締付具を締めすぎる虞がなく、また、各種類の単管パイプの取り付けに使用でき、取り付ける単管パイプが２本でも１本でも型枠に安定に取り付けることができ、単管パイプを長さ方向一直線状に型枠に容易に取り付けることができる単管パイプの取り付け方法と、該方法に用いる締付具を提供することを目的とする。
【課題を解決するための手段】
【００１０】
請求項１に係る発明は、コンクリート打設用の型枠に単管パイプを取り付ける単管パイプ取り付け方法であって、該方法は、型枠に固定されたピーコンのボルトと、締付具のボルト軸の一端部に設けられた雌螺子部とを螺合させ、前記ボルト軸を型枠に固定する工程、弾性部材と、管と、保持部材とを前記ボルト軸に被挿させる工程、１本又は２本の単管パイプを、型枠と前記保持部材との間の前記ボルト軸の上側及び／又は下側に配置する工程、及び締付ナットを前記ボルト軸の他端部に螺合させ、該締付ナットを締め付けて単管パイプを型枠に取り付ける工程からなり、前記保持部材は、前記ボルト軸を挿通させる貫通孔と、該貫通孔の両側又は片側に前記単管パイプと当接する当接部を有し、前記当接部は、直線部を備え、両側又は片側の端部が前記単管パイプ側に折り曲げられて突出しており、前記直線部の長手方向の長さが、保持される前記単管パイプが前記当接部に当接した時の当接長さよりも長いことを特徴とする単管パイプの取り付け方法に関する。
【００１１】
請求項２に係る発明は、前記弾性部材と、管と、保持部材とを前記ボルト軸に被挿する工程が、管と、弾性部材と、保持部材とを型枠側から順に前記ボルト軸に被挿する工程であることを特徴とする、請求項１に記載の単管パイプの取り付け方法に関する。
【００１２】
請求項３に係る発明は、前記弾性部材と、管と、保持部材とを前記ボルト軸に被挿する工程が、弾性部材と、管と、保持部材とを型枠側から順に前記ボルト軸に被挿する工程であることを特徴とする、請求項１に記載の単管パイプの取り付け方法に関する。
【００１３】
請求項４に係る発明は、コンクリート打設用の型枠に単管パイプを取り付けるための締付具であって、前記締付具は、前記単管パイプに当接し該単管パイプをコンクリート型枠に保持する保持部材と、前記保持部材を保持するボルト軸と、前記ボルト軸を被挿する弾性部材と、前記ボルト軸を被挿する管とを有し、前記保持部材は、前記ボルト軸を挿通させる貫通孔と、該貫通孔の両側又は片側に前記単管パイプと当接する当接部を有し、前記当接部は、直線部を備え、両側又は片側の端部が前記単管パイプ側に折り曲げられて突出しており、前記直線部の長手方向の長さが、保持される前記単管パイプが前記当接部に当接した時の当接長さよりも長いことを特徴とする締付具に関する。
【００１４】
請求項５に係る発明は、前記保持部材は、前記貫通孔を支点とした時に、第１端部側部材が第２端部側部材よりも重いことを特徴とする、請求項４に記載の締付具に関する。
【００１５】
請求項６に係る発明は、前記保持部材は、前記ボルト軸に保持された際に、前記第１端部側部材の先端が、前記第２端部側部材の先端よりも型枠側に突出していることを特徴とする、請求項５に記載の締付具に関する。
【００１６】
請求項７に係る発明は、前記弾性部材が、コイルバネ、スプリングワッシャ、又はワッシャ、あるいはそれらの組み合わせであることを特徴とする、請求項４乃至６のいずれか１つに記載の締付具に関する。
【００１７】
請求項８に係る発明は、前記弾性部材が、前記型枠側から、平ワッシャ、スプリングワッシャ、平ワッシャであることを特徴とする、請求項４乃至６のいずれか１つに記載の締付具に関する。
【００１８】
請求項９に係る発明は、前記保持部材が略Ｃ型チャンネル状であることを特徴とする、請求項４乃至８のいずれか１つに記載の締付具に関する。
【００１９】
請求項１０に係る発明は、前記保持部材がドーム状であることを特徴とする、請求項４乃至８のいずれか１つに記載の締付具に関する。
【００２０】
請求項１１に係る発明は、前記保持部材が平板状であることを特徴とする、請求項４乃至８のいずれか１つに記載の締付具に関する。
【００２１】
請求項１２に係る発明は、前記保持部材の長手方向の片端に前記型枠に当接する支持脚が設けられていることを特徴とする、請求項４乃至１１のいずれか１つに記載の締付具に関する。
【発明の効果】
【００２２】
請求項１に係る発明によれば、締付具のボルト軸に弾性部材と管が被挿されているため、弾性部材と管がストッパーとなり、締付具による必要以上の締め付けを防ぎ、コンクリート打設用の型枠の締めすぎによる部分的な湾曲を防止する。また、取り付ける単管パイプが１本の場合でも、締付具による必要以上の締付を防ぐため、保持部材の傾きを防ぎ、単管パイプの設置されていない側への圧力の偏りを軽減することにより、締付具を型枠に締め付けることができる。
さらに、締付具の保持部材の当接部は直線部を備え、両側又は片側の端部が前記単管パイプ側に折り曲げられて突出しているため、１本又は２本の丸型、角型、及び丸角型等の各種単管パイプを保持部材の当接部上で安定して固定できる。
加えて、締付具の保持部材の直線部の長手方向の長さが、保持される単管パイプが直線部に当接した時の当接長さよりも長いことにより、保持部材の長手方向に単管パイプが移動できる余地があるため、締付具の取り付け位置に多少のずれがあっても単管パイプを長さ方向一直線状に取り付けることができ、従来よりも容易に、単管パイプを長さ方向一直線状に型枠に取り付けることができる。
【００２３】
請求項２に係る発明によれば、型枠側から、管と、弾性部材と、保持部材を前記ボルト軸に被挿することで、より容易に請求項１に係る発明の効果を提供できる。
【００２４】
請求項３に係る発明によれば、型枠側から、弾性部材と、管と、保持部材を前記ボルト軸に被挿することで、より容易に請求項１に係る発明の効果を提供できる。
【００２５】
請求項４に係る発明によれば、締付具のボルト軸に弾性部材と管が被挿されているため、弾性部材と管がストッパーとなり、締付具による必要以上の締め付けを防ぎ、コンクリート型枠の締めすぎによる部分的な湾曲を防止する。また、取り付ける単管パイプが１本の場合、締付具による必要以上の締付を防ぐため、保持部材の傾きを防ぎ、単管パイプの設置されていない側への圧力の偏りを軽減することにより、締付具を型枠に締め付けることができる。
さらに、締付具の保持部材の当接部は直線部を備え、両側又は片側の端部が前記単管パイプ側に折り曲げられて突出しているため、１本又は２本の丸型、角型、及び丸角型等の各種単管パイプを保持部材の当接部上で安定して固定できる。
加えて、締付具の保持部材の直線部の長手方向の長さが、保持される単管パイプが直線部に当接した時の当接長さよりも長いことにより、保持部材の長手方向に単管パイプが移動できる余地があるため、締付具の取り付け位置に多少のずれがあっても単管パイプを長さ方向一直線状に取り付けることができ、従来よりも容易に、単管パイプを長さ方向一直線状に型枠に取り付けることができる。
【００２６】
請求項５に係る発明によれば、貫通孔を支点とした時に、保持部材の第１端部側部材が第２端部側部材よりも重いため、第１端部側部材がボルト軸の下側に回動し、第２端部側部材が上側に回動する。これにより、保持部材を横向き（つまり地面と平行）にしてボルト軸に被挿した場合でも、第１端部側部材がボルト軸の下側に来るように自然と回動して保持部材が縦向き（つまり地面に対して垂直）になる。これにより、単管パイプを取り付ける際に、型枠に取り付けられた全ての保持部材の向きを手動で縦向きにする必要がなくなり、単管パイプの取り付け効率を大幅に向上させることができる。
【００２７】
請求項６に係る発明によれば、保持部材はボルト軸を被挿した際に、第１端部側部材の先端が第２端部側部材の先端よりも型枠側に突出しているため、ボルト軸の下側に単管パイプを取り付ける際に、第１端部側部材の先端の突出部が保持部材からの単管パイプの落下を防止するストッパーとなるため、単管パイプの取り付け時に単管パイプが落下してしまう虞が少なく、ボルト軸の下側に単管パイプを容易且つ安全に取り付けることができる。これにより、単管パイプの取り付け効率を大幅に向上させることができる。
【００２８】
請求項７に係る発明によれば、弾性部材が、コイルバネ、スプリングワッシャ、又はワッシャ、あるいはそれらの組み合わせであるため、締付具を取り付けるコンクリート型枠間の厚みの違いや、型枠の木材が痩せることによる厚みの変化によって生じる締付具を締め付けた際の取り付け間隔の遊びの発生を防ぎ、且つ締付具の締め付けの緩み止めにもなるため、長期間安定して締付具をコンクリート型枠に締め付けることができる。
【００２９】
請求項８に係る発明によれば、請求項７に係る発明の効果に加えて、スプリングワッシャの両隣に平ワッシャを配置しているため、締付ナットを締め付けた際に、コイルバネやスプリングワッシャ等の弾性部材が管とボルト軸の一端部、又は保持部材と管によってスプリングワッシャ等の弾性部材が開いて破損してしまうことを防止でき、より長期間、安定に単管パイプを型枠に取り付けることができる。
【００３０】
請求項９に係る発明によれば、略Ｃ型チャンネル状の保持部材を用いることにより、丸型、角型、及び丸角型パイプに有効な、請求項４乃至８のいずれか１つに係る発明の効果を提供できる。
【００３１】
請求項１０に係る発明によれば、ドーム状の保持部材を用いることにより、丸型及び丸角型パイプに特に有効な、請求項４乃至８のいずれか１つに係る発明の効果を提供できる。
【００３２】
請求項１１に係る発明によれば、平板状の保持部材を用いることにより、角型及び丸角型パイプに特に有効な、請求項４乃至８のいずれか１つに係る発明の効果を提供できる。
【００３３】
請求項１２に係る発明によれば、１本の単管パイプをコンクリート型枠に取り付ける際に、保持部材の長手方向の片端に型枠に当接する支持脚が設けられている保持部材を使用することにより、締付具をより安定に型枠に締め付けることができる。
【図面の簡単な説明】
【００３４】
【図１】従来の方法でコンクリート型枠に２本の単管パイプを取り付けた状態を示す図であって、（ａ）は丸型の単管パイプ２本を型枠に取り付けた様子を示す図、（ｂ）は角型の単管パイプ２本を型枠に取り付けた様子を示す図である。
【図２】従来の方法でコンクリート型枠に１本の角型パイプを取り付けた状態を示す図である。
【図３】本発明に係る締付具の概略斜視図である。
【図４】本発明に係る締付具の概略断面図である。
【図５】本発明に係る締付具を用いてコンクリート型枠に丸型の単管パイプ１本を型枠に取り付けた様子を示す概略斜視図である。
【図６Ａ】本発明に係る締付具を用いてコンクリート型枠に２本の単管パイプを取り付けた様子を示す図であって、角型の単管パイプ２本を型枠に取り付けた様子を示す図である。
【図６Ｂ】本発明に係る締付具を用いてコンクリート型枠に２本の単管パイプを取り付けた様子を示す図であって、丸型の単管パイプ２本を型枠に取り付けた様子を示す図である。
【図６Ｃ】本発明に係る締付具を用いてコンクリート型枠に２本の単管パイプを取り付けた様子を示す図であって、丸角型の単管パイプ２本を型枠に取り付けた様子を示す図である。
【図７】本発明に係る締付具を用いてコンクリート型枠に１本の単管パイプを取り付けた様子を示す図であって、（ａ）は角型の単管パイプ１本を型枠に取り付けた様子を示す図、（ｂ）は丸型の単管パイプ１本を型枠に取り付けた様子を示す図である。
【図８】本発明に係る締付具の保持部材のその他の形状の一例を示す図であって、（ａ）は突出部の当接部側がアール形状である略Ｃ型チャネル状の保持部材を示す図、（ｂ）はドーム状の保持部材を示す図、（ｃ）は平板状の保持部材を示す図、（ｄ）は保持部材の長手方向の片端に型枠に当接する支持脚が設けられた平板状の保持部材を示す図、（ｅ）は単管パイプとの当接部を片面のみ有する略Ｃ型チャンネル状の保持部材を示す図である。
【図９】本発明に係る他の実施形態の締付具の概略断面図である。
【図１０】本発明に係る他の実施形態の締付具を用いて、コンクリート型枠に丸型の単管パイプ１本を型枠に取り付けた様子を示す概略斜視図である。
【図１１】本発明に係る他の実施形態の締付具であって、保持部材の貫通孔が長穴である締付具を用いて、コンクリート型枠に丸型の単管パイプ２本を型枠に取り付けた様子を示す概略斜視図である。
【発明を実施するための形態】
【００３５】
以下、本発明に係る単管パイプの取り付け方法及び該方法に用いる締付具の好適な実施形態について、図面を参照しながら説明する。
図３は本発明に係る締付具の概略斜視図であり、図４は本発明に係る締付具の概略断面図である。図５は本発明に係る締付具を用いてコンクリート型枠に丸型の単管パイプ１本を型枠に取り付けた様子を示す概略斜視図である。
なお、以下の実施例では略Ｃ型チャンネル状の保持部材を用いているが、図８に図示するようなドーム状や、平板状、保持部材の長手方向の片端に型枠に当接する支持脚が設けられている保持部材、片側のみに当接部を有する保持部材等、その他の形状の保持部材を用いた場合においても、略Ｃ型チャンネル状の保持部材を用いた場合と同様の効果を得ることができる。特に、ドーム状の保持部材は丸型及び丸角型パイプに特に有効であり、平板状の保持部材は角型及び丸角型パイプに特に有効である。
【００３６】
本発明に係る締付具（１）は、単管パイプに当接し該単管パイプをコンクリート型枠に保持する保持部材（２）と、保持部材（２）を保持するボルト軸（３）と、ボルト軸（３）に被挿させる管（４）と、ボルト軸（３）に被挿させる弾性部材（６）とを備えている。
【００３７】
保持部材（２）は、ボルト軸（３）を挿通させる貫通孔（７）と、貫通孔（７）の両側又は片側に単管パイプをコンクリート型枠に取り付ける際に単管パイプと当接する当接部（８）を有している。当接部（８）は直線部（２０）を備え、両側又は片側の端部が取り付ける単管パイプ側に折り曲げられて突出している。なお、丸型パイプをより安定に固定するために、当接部（８）の一部がアール形状であってもよい。型枠（Ｋ１）に取り付けられた単管パイプに保持部材（２）の長手方向（Ｘ）に移動できる余地を与えるため、直線部（２０）の長手方向（Ｘ）の長さは、保持される単管パイプが当接部（８）に当接した時の当接長さよりも長いことが好ましい。このことにより、保持部材（２）の長手方向（Ｘ）、つまり単管パイプの垂直方向に単管パイプが移動できる余地が生じるため、締付具（１）の取り付け位置に多少のずれがあっても単管パイプを長さ方向一直線状に取り付けることができ、従来よりも容易に、単管パイプを長さ方向一直線状に型枠（Ｋ１）に取り付けることができる。
尚、貫通孔（７）の形状は丸穴や、長穴、正方形、矩形など、いかなる形状であってもよい。
【００３８】
保持部材（２）の形状は、上記した特徴を備えた略Ｃ型チャンネル状、ドーム状、あるいは平板状が好ましい（図８参照）が、これらに限定されず、上記した特徴を備えていれば通常用いる形状の保持部材であれば、いかなる形状のものを使用してもよい。
また、１本の単管パイプをコンクリート型枠に取り付ける際に締付具（１）をより安定に型枠（Ｋ１）に締め付けるために、保持部材（２）の長手方向（Ｘ）の片端に型枠に当接する支持脚（１６）が設けられている保持部材（２）を使用してもよい（図８の（ｄ）参照）。尚、図では側面視略Ｌ字状の支持脚（１６）を用いているが、特に限定されず、Ｔ字状の支持脚など、締付具（１）を締め付けた際に型枠に当接する形状であればよい。また、図８の（ｄ）では、例として平板状の保持部材に支持脚（１６）が設けられているが、支持脚（１６）が設けられる保持部材の形状はこれに限定されず、略Ｃ型チャンネル状、ドーム状、あるいは通常用いる形状の保持部材であれば、いかなるものにも適用できる。
【００３９】
さらに、図９及び図１０に示すように、保持部材（２）は、貫通孔（７）を支点とした時に、保持部材（２）の第１端部側部材（１８）が第２端部側部材（１９）よりも重いことが望ましい。保持部材（２）の第１端部側部材（１８）と第２端部側部材（１９）の重さが違うことにより、保持部材（２）がボルト軸（３）に保持された際に、第１端部側部材（１８）がボルト軸（３）の下側に、第２端部側部材（１９）がボルト軸（３）の上側に来るように自然と回動し、保持部材（２）が縦向き（つまり地面に対して垂直）になる。これにより、単管パイプの取り付けの際に、保持部材（２）を手動で縦に向ける必要がなくなり、作業効率が大幅に向上する。
これは、第１端部側部材（１８）の厚みを厚くする、第１端部側部材（１８）の長手方向（Ｘ）の長さを長くする方法等、第１端部側部材（１８）を第２端部側部材（１９）よりも重くする、あるいは保持部材（２）がボルト軸（３）に保持された際の保持部材（２）の重心位置を、貫通孔（７）を長孔として調整することにより達成される。しかしこれに限定されず、例えば、第２端部側部材（１９）の厚みを薄くする、比重の軽い材質にする等、型枠（Ｋ１）に取り付けられたボルト軸（３）に保持部材（２）を被挿した際に、第１端部側部材（１８）が自然に下方に回動するようにできる方法であれば、いかなる方法を用いても良い。
【００４０】
第１端部側部材（１８）の先端の単管パイプ側への突出高さ（Ｙ１）は、第２端部側部材（１９）の先端の単管パイプ側への突出高さ（Ｙ２）よりも高いことが好ましい。具体的には、第１端部側部材（１８）側の当接部（８）と角材（Ｋ２）の間に単管パイプを挟持した際に、第１端部側部材（１８）の先端と角材（Ｋ２）との間隙が単管パイプの落下を防ぐ程度の長さとなるような突出高さ（Ｙ１）とすることが望ましい（図１０参照）。第１端部側部材（１８）の先端の突出高さ（Ｙ１）が高いことで、ボルト軸（３）の下側に単管パイプを取り付ける際に、第１端部側部材（１８）の先端が単管パイプを下から支え、単管パイプの落下を防ぐストッパーとなるため、ボルト軸（３）の下側に単管パイプを容易に且つ安全に取り付けることができる。これにより、単管パイプの取り付け効率を大幅に向上させることができる。
【００４１】
さらに、第２端部側部材（１９）の先端の単管パイプ側への突出高さ（Ｙ２）は低いことが好ましい。これにより、単管パイプをボルト軸（３）の上側に取り付ける際の第２端部側部材（１９）の先端と角材（Ｋ２）との間隙が広くなり、ボルト軸（３）の上側に単管パイプを取り付けやすくなるため、作業効率が向上する。
【００４２】
ボルト軸（３）の一端部（５）は、外径がボルト軸の他部よりも大きいフランジ部を有し、軸心にコンクリート型枠に固定するための雌螺子部（９）を有する（図４参照）。尚、雌螺子部（９）の長手方向の長さは特に限定されないが、ボルト軸（３）を強く締めすぎることによる締付具（１）とピーコン（１３）の間にある型枠（Ｋ１）の圧縮を防止するために、型枠（Ｋ１）に取り付けたボルト（１４）の型枠（Ｋ１）からの突出長さと略同じ長さとすることが望ましい。例えば、ボルト（１４）の型枠（Ｋ１）からの突出長さが１２〜１３ｍｍの場合は１３〜１４ｍｍ程度とすることが好ましい。あるいは、ピーコン（１３）のボルト（１４）が、ボルト（１４）の型枠（Ｋ１）からの突出長さ、例えば１３〜１４ｍｍ、を超えてボルト軸（３）に螺合されないように、あらかじめ締付具（１）の雌螺子部（９）の所定の位置にボルト軸（３）の軸心方向に突出した凸部（１７）をストッパーとして設けてもよい。
【００４３】
ボルト軸（３）の他端部（１０）は、長さ方向中途部にかけて締付ナット（１１）を螺合させるための雄螺子部（１２）を有する。ボルト軸（３）は上述した方法でコンクリート型枠（Ｋ１）に固定される。ボルト軸（３）には、コンクリート型枠（Ｋ１）に固定される前、あるいは固定された後に、保持部材（２）と、後述する管（４）と、弾性部材（６）が被挿され、締付ナット（１１）が螺合される。
【００４４】
管（４）は、保持部材（２）と弾性部材（６）との間（図６Ａ〜Ｃ参照）、又は弾性部材（６）とボルト軸（３）の一端部（５）との間（図１０参照）で、ボルト軸（３）に被挿される。管（４）の長手方向の長さは、締付具（１）の締め付けすぎによってコンクリート型枠が湾曲しすぎる前に管（４）が弾性部材（６）と管当接部（１５）に当接（図６Ａ〜Ｃ参照）、又は弾性部材（６）とボルト軸（３）の一端部（５）に当接（図１０参照）し、それ以上締め付けることができなくなるような長さが望ましい。
より具体的には、管（４）の長手方向の長さは、単管パイプを型枠に取り付けた際の弾性部材（６）と管当接部（１５）の間の距離（図６Ａ〜Ｃ参照）、又は弾性部材（６）とボルト軸（３）の一端部（５）の間の距離（図１０参照）よりもやや短いことが望ましい。
これにより、管（４）がストッパーとなり、締付具（１）による必要以上の締め付けを防ぎ、ピーコン（１３）が締付具（１）の方向に必要以上に強く引っ張られることを防止するため、型枠（Ｋ１）に大きな力がかからず、コンクリート型枠の湾曲が生じず、コンクリート壁や柱の部分的な膨らみを防止できる。
【００４５】
また、管（４）は、略Ｃ型チャンネル状やドーム状の保持部材（２）の管当接部（１５）に当接しない程度の（つまり、管当接部（１５）の板金を折り曲げて形成された左右の内壁間の距離よりも管（４）の外径が小さい）、より小さな径であっても良い（図１１参照）。この場合、締付具（１）を型枠に取り付けた際、管（４）は管当接部（１５）ではなく、保持部材（２）の貫通孔（７）周辺に当接する。この管（４）の長手方向の長さは、締付具（１）の締め付けすぎによってコンクリート型枠が湾曲しすぎる前に管（４）が弾性部材（６）と貫通孔（７）周辺、又は弾性部材（６）とボルト軸（３）の一端部（５）に当接し、それ以上締め付けることができなくなるような長さが望ましい。
より具体的には、管（４）の長手方向の長さは、単管パイプを型枠に取り付けた際の弾性部材（６）と保持部材（２）の貫通孔（７）周辺の間の距離、又は弾性部材（６）とボルト軸（３）の一端部（５）の間の距離よりもやや短いことが望ましい。
【００４６】
尚、管（４）が略Ｃ型チャンネル状やドーム状の保持部材（２）の管当接部（１５）に当接しない径を備えるものである場合、保持部材（２）の貫通孔（７）の形状は、保持部材（２）の長手方向（Ｘ）に長い長孔状であることが好ましい（図１１参照）。この管（４）を用いて、ボルト軸（３）の上側に単管パイプを取り付ける際、単管パイプは締付具（１）の管（４）の上に乗せた状態で型枠に締め付けられる。この状態では、単管パイプは保持部材（２）の当接部（８）ではなく、管当接部（１５）に接触しながら締め付けられる。これにより、締め付け時に保持部材（２）が大きく左右方向に回動し、締付が安定しない。貫通孔（７）の形状を長孔にすることにより、保持部材（２）の当接部（８）の位置が下がり、管（４）の上に乗った単管パイプを当接部（８）に当接させた状態で締付具（１）を安定に締め付けることができる。したがって、締付時の保持部材（２）の回動を抑えることができ、より安定に且つ確実に単管パイプを型枠に取り付けることができる。
【００４７】
弾性部材（６）は、管（４）とボルト軸（３）の一端部（５）との間（図４参照）、又は保持部材（２）と管（４）の間（図９−１０参照）に被挿される。弾性部材（６）の外径は管（４）の外径よりも大きいことが好ましいが、同径以下でも良い。弾性部材（６）はコイルバネやスプリングワッシャが好ましいが、これに限定されない。また、弾性部材（６）は、例えば、コイルバネとワッシャを組み合わせる等、複数の弾性部材を組み合わせて使用してもよい。本発明に係る締付具（１）に使用される弾性部材（６）の材質は、鋼やステンレス等の金属が好ましいが、ゴムやプラスチック樹脂等、弾性部材として通常使用されるものであれば、いかなるものを用いても良い。
弾性部材（６）を使用することで締付具（１）の締め付けの緩みを防止することができる。また、弾性部材（６）により、型枠が木材であるために生じる、使用する型枠毎の厚みの違いや使用中に型枠が痩せることによる厚みの変化等によって生じる遊びの発生を防止できるため、長期間安定して締付具（１）をコンクリート型枠に締め付けることができ、且つ締付具（１）の締め付けすぎを防ぐことができる。
【００４８】
弾性部材（６）にコイルバネやスプリングワッシャを用いる場合、スプリングワッシャの両隣に平ワッシャを配置することが好ましい（図９−１１参照）。
例えば、弾性部材としてスプリングワッシャのみを用いる場合、電動ドライバ等を用いて締め付けナットを強く締め付けると、稀に、スプリングワッシャと管（４）の回転方向が逆方向になり、スプリングワッシャの切り口と管（４）が引っかかり、この状態でさらに締め付けることで、スプリングワッシャが開いて破損してしまうという虞がある。
スプリングワッシャの両隣に平ワッシャを配置することにより、締付時におけるスプリングワッシャと管（４）の接触を回避できるため、締付ナット（１１）を締め付けた際に、コイルバネやスプリングワッシャ等の弾性部材（６）が開いて破損してしまうことを防止でき、より長期間、安定に単管パイプを型枠に取り付けることができる。
【００４９】
次に、本発明に係る締付具（１）を用いた、１本又は２本の単管パイプをコンクリート型枠へ取り付ける方法について説明する。
なお、本発明に係る締付具（１）を用いてコンクリート型枠に取り付けられる単管パイプには、丸型パイプ、角型パイプ、丸角型パイプ等、コンクリート型枠の補強に通常使用される単管パイプであれば、いかなるものでも使用できる。
【００５０】
図６Ａは２本の角型パイプをコンクリート型枠に取り付けた様子を示す図、図６Ｂは２本の丸型パイプをコンクリート型枠に取り付けた様子を示す図、図６Ｃは２本の丸角型パイプをコンクリート型枠に取り付けた様子を示す図である。図７の（ａ）は１本の角型パイプをコンクリート型枠に取り付けた様子を示す図、図７の（ｂ）は１本の丸型パイプをコンクリート型枠に取り付けた様子を示す図である。
型枠（Ｋ１）は角材（Ｋ２）で補強されており、型枠（Ｋ１）の所定の箇所には、ピーコン（１３）のボルト（１４）を挿通するための貫通孔が形成されている。
まず、型枠（Ｋ１）の貫通孔に挿通されたピーコン（１３）のボルト（１４）と、ボルト軸（３）の一端部（５）に設けられた雌螺子部（９）とを螺合させ、締付具（１）を型枠（Ｋ１）に固定する。
次に、弾性部材（６）と、管（４）と、保持部材（２）を型枠側から順に（図６〜７参照）、あるいは、管（４）と、弾性部材（６）と、保持部材（２）を型枠側から順に（図１０参照）ボルト軸（３）に被挿する。
続いて、１本又は２本の単管パイプ（Ｐ１−Ｐ３）を、型枠と保持部材（２）との間のボルト軸（３）の上側及び／又は下側に配置する。
単管パイプを配置した後、締付ナット（１１）をボルト軸（３）の他端部（１０）に螺合させ、保持部材（２）を単管パイプ（Ｐ１〜Ｐ３）に押し当て、電動ドライバやレンチ、スパナを用いて、ボルト軸（３）の他端部（１０）に螺合された締付ナット（１１）を締め付け、単管パイプ（Ｐ１−Ｐ３）をコンクリート型枠に取り付ける。
なお、ボルト軸（３）をピーコン（１３）のボルト（１４）に螺合させる前に、ボルト軸（３）に一端部（５）側から順に弾性部材（６）と、管（４）と、保持部材（２）、あるいは管（４）と、弾性部材（６）と、保持部材（２）を被挿させ、締付ナット（１１）を螺合させた締付具（１）を用いて単管パイプを取り付けてもよい。
【００５１】
図６Ａ〜Ｃに示すように、本発明に係る締付具は、締付具（１）のボルト軸（３）に、必要以上の締付を防ぐ管（４）と弾性部材（６）が被挿されているため、締付具（１）による必要以上の締め付けを防ぎ、コンクリート型枠の湾曲を防止することができ、２本の単管パイプを適切な締め付け力でコンクリート型枠に取り付けることができる。また、締付具（１）の保持部材（２）の当接部（８）は直線部（２０）を備え、両側又は片側の端部が単管パイプ側に突出しているため、丸型、角型、及び丸角型等の各種単管パイプを安定してコンクリート型枠に取り付けることができる。
【００５２】
図７の（ａ）〜（ｂ）、及び図１０に示すように、本発明に係る締付具（１）は、締付具（１）のボルト軸（３）に、必要以上の締付と保持部材（２）の傾きを防ぐ管（４）と弾性部材（６）が被挿されているため、コンクリート型枠に取り付ける単管パイプが１本の場合でも、取り付けの際に保持部材（２）が傾かずに締付具（１）を型枠（Ｋ１）に締め付けることができ、且つ締付具（１）による必要以上の締め付けを防ぎ、コンクリート型枠の部分的な湾曲を防止することができる。また、図示していないが、１本の丸角型パイプも本発明に係る締付具を使用することで、コンクリート型枠に安定に取り付けることができる。なお、ボルト軸（３）の上側又は下側に１本の単管パイプを取り付ける場合、図８の（ｄ）に示すような、片側のみに当接部（８）を有する保持部材（２）を用いることもできる。
【産業上の利用可能性】
【００５３】
本発明に係る単管パイプの取り付け方法及び該方法に用いる締付具は、例えば建設現場において、コンクリート壁や柱の型枠の補強に好適に使用される。
【符号の説明】
【００５４】
１      締付具
２      保持部材
３      ボルト軸
４      管
５      一端部
６      弾性部材
７      貫通孔
８      当接部
９      雌螺子部
１０    他端部
１１    締付ナット
１２    雄螺子部
１３    ピーコン
１４    ボルト
１５    管当接部
１６    支持脚
１７    凸部
１８    第１端部側部材
１９    第２端部側部材
２０    直線部
１０１  従来の締付具
１０２  従来の締付具
１０３  ボルト軸
Ｘ      長手方向
Ｙ１    第１端部側部材突出部の突出高さ
Ｙ２    第２端部側部材突出部の突出高さ
Ｋ１    型枠
Ｋ２    角材
Ｐ１    丸型パイプ
Ｐ２    角型パイプ
Ｐ３    丸角型パイプ
【図１】
2017206936.tif 000003
【図２】
2017206936.tif 000004
【図３】
2017206936.tif 000005
【図４】
2017206936.tif 000006
【図５】
2017206936.tif 000007
【図６Ａ】
2017206936.tif 000008
【図６Ｂ】
2017206936.tif 000009
【図６Ｃ】
2017206936.tif 000010
【図７】
2017206936.tif 000011
【図８】
2017206936.tif 000012
【図９】
2017206936.tif 000013
【図１０】
2017206936.tif 000014
【図１１】
2017206936.tif 000015